(57)【要約】  ゲーブルトップ型の包装容器（１００）は、第１の側壁（１０４）、前方壁（１０２）、後方壁（１０６）、及び第２の側壁（１０５）を含む複数の直立壁を有する。前方壁は前方のゲーブルパネルに接続し、後方壁は後方のゲーブルパネルに接続し、それらの両方は密封上部フィン（１１０）まで延在する。第１の側壁（１０４）は第１の側部ゲーブルパネル（１１４）に接続し、第２の側壁は第２の側部ゲーブルパネル（１３０）に接続する。壁は、包装容器の長手方向に延在する折り目線（２１２、２１４、２１６、２１８）によって分離される。前方壁は前方のゲーブルパネルと連続しており、後方壁は後方のゲーブルパネルと連続している。
2015510856.tif 000002
【特許請求の範囲】
【請求項１】
ゲーブルトップ型の包装容器であって、
底部と、前記底部から密封上部フィン（１１０）を延在する複数の直立壁と、を備えており、
前記直立壁は、後方壁（１０６）及び前方壁（１０２）に隣接する第１の側壁（１０４）を含み、前記前方壁（１０２）は、第２の側壁（１０５）に隣接しており、前記第２の側壁（１０５）は、前記後方壁（１０６）に隣接しており、
前記第１の壁（１０２）は、前方移行領域（Ｔ）を介して前方のゲーブルパネル（１０８）と連続しており、前記後方壁（１０６）は、後方移行領域を介して後方のゲーブルパネルと連続しており、前記第１の壁（１０２）及び前記後方壁（１０６）は、密封上部フィンまで延在しており、
前記第１の側壁（１０４）は第１の側部ゲーブルパネルに接続しており、前記第２の側壁（１０５）は第２の側部ゲーブルパネルに接続し、
隣接する直立壁は、前記包装容器の長手方向において延在する折り目線によって分離されており、前記前方壁及び前記後方壁は、前記前方移行領域及び前記後方移行領域において傾斜した湾曲にそれぞれ追従することを特徴とする、ゲーブルトップ型の包装容器。
【請求項２】
前記第１の側部ゲーブルパネルは、湾曲折り目線によって第１の側壁から分離されており、前記湾曲折り目線は、前記包装容器の横断方向において延在しており、前記包装容器の前記底部に向けて突出する少なくとも１つの凸状区画を有する、請求項１に記載のゲーブルトップ型の包装容器。
【請求項３】
前記湾曲折り目線は、閉鎖経路に追従しており、
それによって、前記側部ゲーブルパネルは、対応する側壁を画定する２つの長手方向折り目線の制約内に制限され、湾曲折り目線の２つの端部が出会う上部フィンに向けて上方に延在する、請求項２に記載のゲーブルトップ型の包装容器。
【請求項４】
前記湾曲折り目線（１１６）が長手方向折り目線（２１２）に最も近接する領域（Ｂ）において、前記湾曲折り目線の性質は、前記湾曲折り目線が前記長手方向折り目線に向けて湾曲凸状形状を有すること、前記湾曲折り目線が不連続であること、前記湾曲折り目線と前記長手方向折り目線との間に間隙が存在すること、前記湾曲折り目線が前記長手方向折り目線と接すること、前記湾曲折り目線及び前記長手方向折り目線が１つの折り目線に併合すること、前記長手方向折り目線は不連続性を有すること、又はそれらの組み合わせを備えるグループから選択される、請求項２又は３に記載のゲーブルトップ型の包装容器。
【請求項５】
湾曲折り目線はまた、領域（Ｂ）と２つの端部が出会う位置との間に凹状区画を備える、請求項４に記載のゲーブルトップ型の包装容器。
【請求項６】
湾曲折り目線は、長手方向軸においてミラーされるように対称的である、請求項２〜５のいずれか一項に記載のゲーブルトップ型の包装容器。
【請求項７】
前記第２の側部ゲーブルパネルは、前記第１の側部ゲーブルパネルと同一の湾曲折り目線を有する、請求項１〜６のいずれか一項に記載のゲーブルトップ型の包装容器。
【請求項８】
請求項１に記載の包装容器のためのブランクであって、
前記ブランクは、底縁部から前記ブランク（２００）の上縁部へ延在する４つの長手方向折り目線（２１２，  ２１４，  ２１６，  ２１８）を備えており、
前記４つの長手方向折り目線（２１２，  ２１４，  ２１６，  ２１８）は、前記ブランクを５つのパネルに分割しており、
前記５つのパネルは、
第１のパネル（２０２）であって、折り目線によって分割されない連続領域を備え、折り畳まれた場合に、後方壁と、後方のゲーブルパネルと、前記後方壁と前記後方のゲーブルパネルとの間の移行領域とを形成する、第１のパネル（２０２）と、
前記第１のパネル（２０２）に隣接する第２のパネル（２０４）であって、前記第１の長手方向折り目線（２１２）によって分離されており、折り畳まれた場合に、第１の側壁及び第１のゲーブルパネルを形成する、第２のパネル（２０４）と、
前記第２のパネル（２０４）に隣接している第３のパネル（２０６）であって、第２の長手方向折り目線（２１４）によって分離されており、折り目線によって分割されていない連続領域を備え、折り畳まれた場合に、前方壁と、前方のゲーブルパネルと、前記前方壁と前記前方のゲーブルパネルとの間の移行領域とを形成する、第３のパネル（２０６）と、
前記第３のパネル（２０６）に隣接して続く第４のパネル（２０８）であって、前記第３の長手方向折り目線（２１６）によって分離されており、折り畳まれた場合に第２の側壁及び第２のゲーブルパネルを形成する、第４のパネル（２０８）と、
第５のパネル（２１０）であって、前記第１のパネル（２０２）に最終的に密封され、前記第４の長手方向折り目線（２１８）によって前記第４のパネル（２０８）から分離される、第５のパネル（２１０）と、
からなる、包装容器のためのブランク。
【請求項９】
前記第２のパネル及び／又は前記第４のパネルは、横断方向に延在する湾曲折り目線の形態である上部折り目パターンを備え、底部折り目パターンの方向に突出する凸状区画を有する、請求項８に記載のブランク。
【請求項１０】
前記湾曲折り目線は閉鎖経路に追従し、
それにより、前記側部ゲーブルパネルは、対応する側壁を画定する２つの長手方向折り目線の制約内に制限され、湾曲折り目線の２つの端部が出会う上部フィンに向けて上方に延在する、請求項８又は９に記載のブランク。
【請求項１１】
前記湾曲折り目線（１１６）が長手方向折り目線（２１２）に最も近接する領域（Ｂ）において、前記湾曲折り目線の性質は、前記湾曲折り目線が前記長手方向折り目線に向けて湾曲凸状形状を有すること、前記湾曲折り目線が不連続であること、前記湾曲折り目線と前記長手方向折り目線との間に間隙が存在すること、前記湾曲折り目線が前記長手方向折り目線と接すること、前記湾曲折り目線及び前記長手方向折り目線が１つの折り目線に併合すること、前記長手方向折り目線は不連続性を有すること、又はそれらの組み合わせを備えるグループから選択される、請求項８〜１０のいずれか一項に記載のブランク。
【請求項１２】
前記湾曲折り目線はまた、領域（Ｂ）と、２つの端部が出会う位置との間に凹状区画（Ｃ）を備える、請求項８〜１１のいずれか一項に記載のブランク。
【請求項１３】
前記湾曲折り目線は、長手方向軸において本質的にミラーされるように対称とされ、前記側部ゲーブルパネルに別個の水滴形状を与える、請求項８〜１２のいずれか一項に記載のブランク。
【請求項１４】
請求項８に記載のブランクを製造する方法であって、
包装材料のウェブに折り目パターンを提供するステップと、
前記包装材料のウェブを分離した複数のブランクに切断するステップと、
を備える、請求項８に記載のブランクを製造する方法。
【請求項１５】
包装材料のウェブを、材料の積層された層が設けられたペーパーコアから形成するステップと、
包装材料の形成されたウェブに、それらの一の側にプリントを提供するステップと、
により先にされる、請求項１４に記載の方法。
【請求項１６】
請求項１に記載のゲーブルトップ型の包装容器を製造する方法であって、
平坦な形状から、開いた上端部及び底端部を有する包装容器の形状へブランクを隆起させるステップと、
隆起したブランクをマンドレルに配置するステップと、
前記包装容器の一方の端部、すなわち、上端部又は底端部を折り畳み、且つ密封するステップと、
前記包装容器の内部を無菌化するステップと
前記包装容器を充填するステップと、
前記包装容器の他方の端部、すなわち、底端部又は上端部を折り畳み、且つ密封するステップと、
を備える、請求項１に記載のゲーブルトップ型の包装容器を製造する方法。
【請求項１７】
請求項１に記載のゲーブルトップ型の包装容器の製造のための、請求項８の包装ブランクの使用。
【発明の詳細な説明】
【技術分野】
【０００１】
本願発明は、包装容器用ブランクに関し、特に、ゲーブルトップ型の新規な包装容器のための包装容器用ブランクに関する。
【０００２】
例えば、ゲーブルトップ型カートンは、かなり長い間使用されており、多くのゲーブルトップ型カートンは非常に似ている。通常、それらは４つの直立した側壁を有しており、当該４つの直立した側壁は略矩形状であり、ゲーブル状の上部によって閉鎖される。一般的なゲーブルトップは、等しい寸法の前方及び後方のゲーブルパネルを有しており、これらは、密封上部フィンによって接合される。前方パネルは、カートンの内容物へのアクセスを容易にするために、パネルに取り付けられた飲み口などの閉鎖要素を含むことができる。ねじ付きのキャップは、包装を閉鎖するために、飲み口に装着されることができる。
【０００３】
上記のタイプの容器を満たした後、それらは通常、木枠又は同様のものに供給され、価格連鎖（ｖａｌｕｅ  ｃｈａｉｎ）において、店に、その後、消費者に供給され、その材料は再利用される。ゲーブルトップ型の包装容器を供給する場合、密封上部フィンは、考慮されなければならない。あまりに高い負荷が上から密封上部フィン上に供給された場合、フィンが折れ曲がる可能性がある。この折れ曲りは受け入れることができる。上からの負荷はまた、構造的な損傷を包装容器の様々な部分に与える危険性を有しながら、包装容器の長さの至る所で分散されるであろう。現在、包装容器の積み重ね中にこれが起こらないように相当の注意が必要であり、上からの高い負荷に対抗することができる包装容器は、有利である。
【先行技術文献】
【特許文献】
【０００４】
【特許文献１】国際公開第２００６／０１９４７５号パンフレット
【発明の概要】
【課題を解決するための手段】
【０００５】
本願発明は、添付した独立請求項によって規定されており、そのさらなる実施形態は、従属請求項によって規定される。
【０００６】
本願発明の第１の実施形態によれば、ゲーブルトップ型の包装容器は、底部と、底部から密封上部フィンまで延在する複数の直立壁と、を備える。直立壁は、後方壁及び前方壁に隣接する第１の側部壁を含む。前方壁は、後方壁に隣接する第２の側部壁に隣接している。前方壁は、前方移行領域を介して前方のゲーブルパネルと連続しており、後方壁は、後方移行領域を介して後方のゲーブルパネルと連続している。前方のゲーブルパネル及び後方のゲーブルパネルの両方は、密封上部フィンまで延在しており、第１の側壁は第１の側部ゲーブルパネルに接続しており、第２の側部壁は第２の側部ゲーブルパネルに接続している。隣接する直立壁は、底部から上部フィンへの包装容器の長手方向に延在する折り目線によって分離されており、前方壁及び後方壁はそれぞれ、前方移行領域及び後方移行領域において傾いた湾曲に追従する。
【０００７】
上記の説明による包装容器にとって、傾いた湾曲が、力が移行されなければならない任意の鋭い曲げを呈していないので、上部からのストレスの結果として力の集中は避けられるであろう。１つ又は複数の実施形態において、移行領域が横断方向折り目線から自由であることが好ましい。
【０００８】
本願のコンテキスト内において、折り目線は、その転換中に、包装材料に配置された折り畳み表示である。転換は、板紙などの繊維性材料のコアには、コーティング、プリント、積層されたプラスチック製外側層、金属箔等が設けられた工程である。一般的に、マッチパターン（一方のローラーには突出部が設けられ、他方のローラーには一致する凹部が設けられる）を有する一組のローラーは、材料内に折り目線を押し付けるために使用される。これは、例えば、後段において、折り畳みを容易にしたり、折り畳みを局所化したりする。折り目線は、外側層がその上に積層される前に、コアに提供される場合があるが、後段において、それらはまた、材料に設けられてもよい。
【０００９】
好ましい実施形態において、第１の側部ゲーブルパネルは、湾曲折り目線によって第１の側壁から分離されており、湾曲折り目線は横断方向に延在しており、且つ凸状区域を有し、これは第２の側壁及び第２の側部ゲーブルパネルの場合でも同じである。
【００１０】
１つ又は複数の好ましい実施形態において、湾曲折り目線は、閉鎖経路に追従し、それによって、側部ゲーブルパネルは、対応する側壁を画定する２つの長手方向折り目線の制約内に制限され、且つ湾曲折り目線の２つの端部が出会う上部フィンに向けて上方に延在する。これは好ましくは、両方の側部ゲーブルパネルの場合である。
【００１１】
１つ又は複数の実施形態において、湾曲折り目線は、側部パネルの境界付けする長手方向折り目線に向けて滑らかな凸形状を有している。それがそれに最も近接して通過するので、移行領域に接近する。１つ又は複数のそれらの実施形態において、湾曲折り目線は、長手方向折り目線に接する場合があるのに対して、他の実施形態において湾曲折り目線と長手方向折り目線との間に所定の間隙が存在する。これに関連して、「滑らかな」との用語は、角や鋭い湾曲に対して反対である、なだらかな湾曲について言及している。
【００１２】
１つ又は複数の好ましい実施形態において、湾曲折り目線はまた、滑らかな凸状形状と、２つの端部が出会う位置との間に凹状区画を備える。
【００１３】
その場合になされないけれども、湾曲折り目線は好ましくは、長手方向軸において本質的にミラーされる（ｍｉｒｒｏｒｅｄ）ように対称的である。詳細な説明において記載されるように、側部ゲーブルパネルに別個の水滴形状を与える。それは、その片側上の長手方向折り目線と関連して同じ性質（ｂｅｈａｖｉｏｒ）を有するように、その対応する側部壁に関連して好ましくは中心に配置される。包装用域の底部に関して、密封底部壁は、複数の底部壁パネルから形成されており、多くの代替物は当業者に周知であり、先行技術に記載されている。
【００１４】
その１つ又は複数の実施形態による進歩性を有する包装容器は、上方からの負荷がその特定の部分に深刻に集中することなく、その容器によって吸収される性質を有するであろう。そのため、当該包装容器は、上部の負荷によって引き起こされる損傷を少なくしようとし、それ故に、あまり丁寧に扱う必要がない。包装容器の特徴は、適切な力の分散を容易にすることができる。
【００１５】
本願発明はまた、すでに述べた１つ又は複数の実施形態による包装容器のためのブランクに関する。底部からブランクの上部まで延在する４つの長手方向折り目線は、ブランクを５つのパネルに分割する。第１のパネルは、折り畳まれた場合に後方壁及び後方のゲーブルパネルを形成するであろう。第２のパネルは第１のパネルに隣接しており、第１の長手方向折り目線のみによって分離される。第２パネルは、折り畳まれた場合に第１の側壁と第１の側部ゲーブルパネルとを形成するであろう。
第３のパネルは第２のパネルに隣接しており、第２の長手方向折り目線によって分離される。第３のパネルは、折り畳まれた場合に前方壁及び前方のゲーブルパネルを形成するであろう。第４のパネルは、第３の長手方向折り目線によって分離される第３のパネルに隣接して続いている。第４のパネルは、折り畳まれた場合に第２の側壁及び第２の側部ゲーブルパネルを形成するであろう。第５のパネルは、折り畳まれた場合に第１のパネルに密封されるであろう。第５のパネルは、第４の長手方向折り目線によって第４のパネルから分離される。底部の適切な密封を可能にする底部折り目パターンは、全てのパネルの底端部に亘って横断方向に延在する。底部折り目パターンに関して、様々な周知の代替物が存在する。ブランクはまた、側壁に局所化された上部折り目パターンを有する。前記上部折り目パターンは、横断方向において延在する湾曲折り目線を備え、側壁の方向（底部折り目パターンに向けて）に突出する凸状区画を有する。１つ又は複数の好ましい実施形態において、湾曲折り目線は閉鎖経路に追従し、それによって、側部ゲーブルパネルは、対応する側壁を画定する２つの長手方向折り目線の制約内に制限され、湾曲折り目線の２つの端部が出会う上部フィンに向けて上方に延在する。これは好ましくは、両方の側部ゲーブルパネルの場合である。
【００１６】
「ブランク」との用語は当業者に周知であり、包装材料の一片として解釈されるべきである。この包装材料の一片は、適切な形状に切断されることによって、包装用に折り畳まれるように構成されており、適切な折り目線が設けられるように構成される。ブランクの正確な形状は、包装容器の種類によって変化するであろう。ブランクが略矩形状であることは一般的であり、平坦なスリーブ（底部に向けて開口を有する包装容器）を形成するように折り畳まれ、密封される場合がある。ブランクは充填装置に供給され、その充填装置においてその内容物が充填され、密封される。
【００１７】
１つ又は複数の実施形態において、それがそれに最も接近して通過すると、湾曲折り目線が、側部パネルの境界付けている長手方向折り目線に向けて滑らかな凸形状を有することが好ましい。１つ又は複数のそれらの実施形態において、湾曲折り目線は、長手方向折り目線に接する場合がある一方、他の実施形態において、湾曲折り目線と長手方向折り目線との間の規定された間隙が存在する場合がある。
【００１８】
１つ又は複数の実施形態において、湾曲折り目線はまた、滑らかな凸形状（詳細の説明における領域Ｂ）と、２つの端部が出会う位置との間に凹状区画を備えている。この方法において、Ｓ字形状は生成されるであろう。
【００１９】
それはその場合とされなければならないけれども、湾曲折り目線は好ましくは、長手方向軸において本質的にミラーされるように対称的であり、詳細な説明に記載されるように、側部ゲーブルパネルに別の水滴形状を与える。その片側における長手方向折り目線に関連して同一の性質を有するように、その対応する側部壁に関連して好ましくは中心に配置される。
【００２０】
他の態様によれば、本願発明はまた、新規な包装ブランクを製造する方法に関する。当該方法は、折り目パターンを有する包装材料のウェブを提供するステップと、包装材料を分離したブランクに切断するステップと、を備える。
【００２１】
上記のステップは、包装材料（例えば、ポリエチレン及び／又はアルミニウムホイル）のウェブにさらなる層を積層するコーティング（例えば、クレイ（ｃｌａｙ）系材料）を有する包装材料のウェブを提供する１つ又は複数のステップによって先に行われる場合がある。これに関連して、ラポナイト、カオリナイト、ディッカイト、ナクライト、ハロイサイト、アンチゴライト、クリソライト、ろう石、モンモリロナイト、ヘクトライト、ナトリウム四ケイ素雲母、ナトリウムテニオライト、白雲母、マーガライト、バーミキュライト、金雲母、黄葉石、及び同様のものは、適切なクレイ材料として言及される場合がある。材料には、折られる前に、且つ個々のブランクに切断される前に、プリントも設けられてもよい。
【００２２】
さらなる態様によれば、本願発明は、新規のゲーブルトップ型の包装容器を製造し、充填する方法にも関する。当該方法は、平坦な形状から、開いた上部及び底部を有する包装容器の形状へブランクを隆起させるステップと、立てたブランクをマンドレルに配置するステップと、包装容器の一端、包装容器の上部又は底部を折り畳み、密封するステップと、包装容器の内部を無菌化するステップと、包装容器の他の端部、包装容器の底部又は上部を折り畳み、密封するステップと、を備える。この実施形態において、ブランクの長手方向縁部は初めに密封され、例えばスリーブを形成する。ブランクがこの状態から隆起した場合に、上記で特定されるように、矩形状の断面を有するチューブを形成しており、底端部及び上端部の両方は開いているであろう。
【００２３】
本願発明のさらなる実施形態は、以下に続く詳細な説明に開示されているであろう。様々な個々の実施形態が記載されるけれども、異なる実施形態から物理的に不可能な特徴が容易に組み合わされることができない限り、それらの実施形態が本願発明の技術的範囲内で可能な特定の特徴を説明するために設けられていることは、当業者に明らかであり、前述した実施形態においても同様である。
【図面の簡単な説明】
【００２４】
【図１】本願発明の一の実施形態による包装容器の斜視図である。
【図２】本願発明の一の実施形態による包装容器のブランクの平面図である。
【図３】本願発明の実施形態で使用された折り目パターンの部分詳細図である。
【図４】本願発明の実施形態で使用された折り目パターンの部分詳細図である。
【図５】本願発明の実施形態で使用された折り目パターンの部分詳細図である。
【図６】本願発明の実施形態で使用された折り目パターンの部分詳細図である。
【図７】本願発明の実施形態で使用された折り目パターンの部分詳細図である。
【図８】本願発明の実施形態で使用された折り目パターンの部分詳細図である。
【図９】本願発明の実施形態で使用された折り目パターンの部分詳細図である。
【図１０】本願発明の実施形態で使用された折り目パターンの部分詳細図である。
【図１１】本願発明の一の態様による、ブランクを製造する方法の実施形態のフローチャートである。
【図１２】本願発明の他の態様によるブランクから包装容器を製造する方法の実施形態のフローチャートである。
【発明を実施するための形態】
【００２５】
図１は、本願発明の第１の実施形態による包装容器１００の斜視図である。この特定の実施形態において、包装容器は対称的である。それにより、たとえ前方壁１０２及び第１の側壁１０４のみが示されていても、その代わりに、後方壁１０６（図２に見られる）及び第２の側壁１０５（同様に、図２に見られる）を示す対応する図が実質的に同じに見えるであろうことが理解されるべきである。同じものが例えばそのパネルにおける、ゲーブルパネルにも当てはまり、包装容器の一の側部における詳細は包装容器の反対側の側部における同じ外観を有するであろう。この一般的なルールは、上部及び底部に適用されない。これは、類似の外観を有していない対向する側面として考慮されるからである。
【００２６】
前方壁１０２は、湾曲移行領域Ｔを介して前方のゲーブルパネル１０８と連続しており、前方のゲーブルパネルは、密封上部フィン１１０に接続される。横断方向折り目線１１２は、例えば前方壁１０２が前方のゲーブルパネル１０８と連続しているけれども、前方のゲーブルパネル１０８を密封上部フィン１１０から分離する。すなわち、これらは、湾曲移行領域Ｔにおける折り目線によって分離されていない。前方のゲーブルパネル１０８と密封上部フィン１１０との間の横断方向折り目線１１２は最も多くの実施形態のために好ましいが、必要ならば、除外されてもよい。次に進むと、第１の側壁１０４は、湾曲折り目線１１６によって、第１の側部ゲーブルパネル１１４から分離されており、当該湾曲折り目線１１６は、包装容器１００の底部に向けて突出する凸状部分Ａを備えている。これに関連して、凸状は、湾曲折り目線１１６が滑らかなカーブに追従しており、第１の側部ゲーブルパネル１１４から外向きに突出しており、この部分のための外向きが、包装容器の底部に向けた方向に対応することを示す。湾曲折り目線１１６はまた、さらに長手方向折り目線２１２（及び２１４）に最も接近している領域Ｂにおける凸状部分を備える。類似用語（ａｎａｌｏｇｏｕｓ  ｔｅｒｍｉｎｏｌｏｇｙ）に従うと、これは、隣接する長手方向折り目線に向けて外向きに突出する湾曲折り目線に対応する。湾曲折り目線１１６のさらなる特徴は、図２〜１０に関連して記載されるであろう。
【００２７】
１つ又は複数の実施形態において、長手方向折り目線２１２及び２１４などは、湾曲形状を有してもよい。さらに、後方壁１０６及び前方壁１０２は、さらなる長手方向折り目線の使用によって、複数の壁に分割されてもよい。
【００２８】
後方壁１０６及び後方のゲーブルパネルの説明は、前方壁１０２及び前方のゲーブルパネル１０８の上記の説明に対応するであろう。また、第２の側壁及び第２の側部ゲーブルパネルの説明は、第１の側壁及び第１の側部ゲーブルパネルの上記の説明に対応するであろう。
【００２９】
さらなる実施形態において、前方壁及び前方のゲーブルパネルは、横断方向折り目線によって分離されてもよく、後方のパネルについても同様である。このアプローチは、記載された複数の実施形態のいずれにも使用されることができ、特に、湾曲形状の部分が、前方壁のパネル／後方壁のパネルへの移行において前方壁／後方壁の形状を案内するために使用されてもよいので、側部ゲーブルパネルが規定された湾曲形状を有する特定の実施形態に使用されることができる。そのような案内は、移行領域Ｔにおける横断方向折り目線の存在が容器の鋭い角部を生じさせる必要がないことをもたらす場合がある。
【００３０】
包装容器の様々な側部の特徴は、包装容器が形成されるブランク２０の研究している特徴から容易に理解される。
【００３１】
本願発明の一の実施形態による包装容器のためのブランク２００は、図２に示される。ブランク２００の下部には、底部シールパターン１１２が位置する。長手方向は、ブランクの底部縁部からブランクの上部縁部に向けた方向に対応しており、ブランクから形成された包装容器の本来の長手方向に対応する。横断方向はその結果として、ブランクの平面において、すなわち従来の方法で、長手方向に対して直角となる。底部シールパターン１２２の特定のレイアウトは、本願発明の焦点ではなく、図２に図示された底部シールパターンは特許文献１に記載されている。
【００３２】
４つの長手方向折り目線２１２、２１４、２１６、２１８は、低縁部からブランク２００の上縁部へ延在しており、ブランクを５つのパネルに分割する。第１のパネル２０２は、折り畳まれた場合に後方壁及び後方のゲーブルパネルを形成するであろう。それ故に、好ましくは、折り目線によって分割されていない連続領域からなる。第２のパネル２０４は、第１のパネル２０２に隣接しており、第１の長手方向折り目線２１２は２つに分離する。
第２のパネル２０４は、折り畳まれた場合に第１の側壁及び第１のゲーブルパネルを形成するであろう。また、折り目パターン及び２つのパネルに分割する湾曲折り目線１１６を有している。
この湾曲折り目線１１６は、上部折り目パターンの一部を形成する。第３のパネル２０６は、第２のパネル２０４に隣接しており、第２の長手方向折り目線２１４によって分離されている。第３のパネル２０６は、折り畳まれた場合に前方壁及び前方のゲーブルパネルを形成するであろう。その結果として、第３のパネル２０６の性質は、第１のパネル２０２の性質に対応する。第４のパネル２０８は、第３のパネル２０６に隣に続いており、第３の長手方向折り目線２１６によってそれから分離されている。第４のパネル２０８は、折り畳まれた場合に第２の側壁及び第２の側部ゲーブルパネルを形成するであろう。第５のパネル２１０は最終的に、第１のパネル２０２に密封されるであろう。また、それは、第４の長手方向折り目線２１８によって第４のパネル２０８から分離される。第５のパネルは、包装容器を部分的に形成するために、すなわち、後で包装容器の上部及び底部を形成するように２つの開いた端部を有するスリーブを形成するために、形成された包装容器の外観において視認可能ではなく、第１パネルの内部に向けて密封するように単に使用される。ブランクはまた、上部折り目パターンを有する。当該折り目パターンは、第２のパネル２０４及び第４のパネル２０８に局所化されており、前述したように、第２のパネル及び第４のパネルのそれぞれ１つずつに湾曲折り目線１１６を備える。
【００３３】
折り畳まれた場合に包装容器の上部フィン１１０を形成する部分は、ブランクの上縁部及び（図１の折り目線１１２に対応する部分における）横断方向折り目線１２８によって画定される。また、長手方向折り目線２１２〜２１８は、この部分に延在しており、この部分の折り曲げ位置も示している。上部フィンに対する折り目線の特定の形態及び配置は、さらに詳細に議論されないであろう。
【００３４】
前方壁１０２、後方壁１０６、第１の側壁１０４及び第２の側壁１０５を形成するブランクの部分は、図２に明確に見られる。前方のゲーブルパネル１０８及び後方のゲーブルパネル１２８は、それらは前方壁及び後方壁とそれぞれ連続とされるので、容易に傷つけられない。なお、連続とは、それらが折り目線によって分離されていないことを意味する。湾曲折り目線１１６は、第１の側部ゲーブルパネル１１４及び第２の側部ゲーブルパネル１３０の位置をそれぞれ明かしている。それら２つは、寸法及び形状において同一である。図１との関連ですでに述べられた湾曲折り目線の特徴は、繰り返さないが、対応する表示は、図２に使用されるであろう。２つの領域Ａ及びＢは、側部ゲーブルパネルのうちの１つのみ規定されているが、それらの同一の特徴は第２の側部ゲーブルパネルに適用する。領域Ｂと位置Ｄとの間に位置した凹部区画Ｃも示される。この位置Ｄは、湾曲折り目線１１６の２つの端部が出会う位置であり、上部フィンの長手方向折り目線の位置にも対応する。凹部区画Ｃの凹部形状は領域Ｂにおける凸状形状と組み合わせて、領域Ｂから位置ＤへのＳ字形状を折り目線に付与する。湾曲折り目線１１６における不連続は、もしあるなら、領域Ｂに示される場合がある。１つ又は複数の実施形態において、湾曲折り目線はまた、この領域における長手方向折り目線に接する場合がある、又は、当該長手方向折り目線と部分的に接合する場合がある。その例のうちいくつかが図３〜７に図示されている。しかしながら、図示した実施形態において、湾曲折り目線１１６は、領域Ｂの至る所で連続している。湾曲折り目線１１６とこの領域における近くにある長手方向折り目線、すなわち、長手方向折り目線２１２及び２１４との間の間隙も存在する。領域Ｂにおける不連続が存在する場合において、湾曲折り目線１１６は、２つの部分、すわなち、上部分及び下部分を備えるように言われている場合があり、水滴形状の横断領域における上部分と下部分との間に間隙を有する。この例は、以下に近くに記載されるように、折り目線１１６が図２の領域Ｂにおいて欠けていることとされるであろう。
【００３５】
図３〜１０は、領域Ｂ、すなわち、湾曲折り目線１１６（又は１３０）が隣接する長手方向折り目線に最も近接する領域のための様々なレイアウトを概略的に図示している。図面は部分的であり、且つ概略的であるが、図２と比較すると、完全な外観は容易に認識されることができる。１つの湾曲折り目線の一の側のみが示されている。しかしながら、一般的な仮定は、湾曲折り目線の他の側も同一のレイアウトを有することである。必須ではないけれども、対称的な理由のために、両湾曲折り目線が同一であること、すなわち、包装容器の両側部ゲーブルパネルが同一であることが一般的に好ましい。図３は、図２のレイアウトに類似のレイアウトを示しており、湾曲折り目線１１６及び長手方向折り目線２１２は、共通の領域を分け合っているが、それらは、決して接していない。図４において、湾曲折り目線は、その代わりに、長手方向折り目線２１２に最も近接した領域において不連続であり、折り目線はなお接していない。これは、ブランクを包装形状に折り畳むステップにおけるある程度の自由度ために可能になり、短い距離のために、湾曲折り目線に追従する必要がなく、隣接する折り目線の間に包装材料の最も小さい先細部分を取り除く。これは、図４の実施形態を図５の実施形態と比較することによって最も容易に認識される。図５において、折り目線は共通領域を再び分けており、この例において、湾曲折り目線１１６でさえ、それらが短い距離のために経路を分けるように長手方向折り目線２１２と接触する。このレイアウトは、湾曲折り目線と長手方向折り目線との間の間隙を除去する。図６に示されたさらなる例は、図４などの不連続な湾曲折り目線１１６を有するものに対応するが、湾曲折り目線１１６が長手方向折り目線２１２と出会うことを可能にする。この例において、折り目線は前述した実施形態より長い距離の間経路を分ける。このレイアウトにおいて、湾曲折り目線は、共通の経路から出発する場合に、浅い角度で長手方向折り目線から分岐するであろう。図７の例において、長手方向折り目線は不連続であるが、湾曲折り目線１１６は連続している。この配置構成の利点は、図４の利点に類似である。図８は、わずかに単純化した折り目パターンを図示する。図８の折り目パターンにおいて、折り目線１１６の下部分は、側壁に突出する湾曲した弓状の形状を有するが、上部分は直線的である。このテーマにおける変形例において、上部分はその代わりに、前述したような関連した利点を達成するためにＳ字形状を有する、又は、凹状の湾曲又は凸状の湾曲に追従するが、上記の実施形態又は下記の実施形態のうちの１つに変形してもよい。図９の実施形態において、折り目線１１６における不連続性が再度存在する。上部分は長手方向折り目線２１２から離れて内側にシフトしており、それによって、所定の間隙が折り目線１１６の上部分の最も下側端部の間に形成されるとともに、折り目線１１６の下部分は、長手方向折り目線２１２に完全に延在する。示された特定の実施形態において、横方向のシフトのみが存在する。それによって、下部分は、図９の概略図に最も良く示されるように、長手方向における上部分の端部から始まるとともに、間隙が垂直方向において形成される。また、この実施形態において、上部分の形状は、すでに記載された形状の間、すなわち、直線、凹状／凸状、又はＳ字状間で変化してもよい。形状に応じた様々な効果が存在する場合があるけれども、Ｓ字状は、その目的を満たすために明確にする必要がないことに留意すべきである。図１０の実施形態において、折り目線１１６の上部分は、連続的な経路に沿って長手方向折り目線２１２までずっと延在するが、好ましくはＳ字状である必要がない。折り目線１１６の下部分は、長手方向折り目線２１２から所定の距離で上部分に接続しており、それ故に、図１０に示された特徴的な形状を形成する。
【００３６】
この領域Ｂにおける折り目パターンの多様性は、包装容器の全体的な安定性に影響を及ぼす場合があるが、包装容器の設計及び外観に影響を及ぼす場合があるので、たった一つの目的ではない。それら２つの領域（安定性及び設計）のおける折り目パターンの影響はまた、使用される材料の種類によっても変化する場合がある。例えば、薄く、低剛性の材料は折り目線パターンをより受け入れやすい場合があり、厚く、高剛性の材料の場合と比較して、隣接する折り目線の間の小さな間隙及び狭い角度の領域が生じる。うまく規定された領域Ｂにおいて実施された多様性が、包装容器の全体的な印象を変更すること意図しておらず、詳細なレベルで最適化された効果を単に達成することも強調されるべきである。全ての実施形態にとって、全ての凸状の外観が行われていることにも注意すべきである。
【００３７】
ブランクを形成する方法及びブランクから包装容器を形成する方法はそれぞれ、図１１及び１２に示される。
【００３８】
ここまでは、包装材料（及び、その結果物の包装容器及びブランク）のウェブにおいて使用される材料については議論しない。材料は、低密度ポリエチレンなどの１つ又は複数のプラスチック製層によって挟まれた包装ラミネート、好ましくは、再利用可能な材料から製造された板紙及び他の繊維性のコア層から形成された包装ラミネートであることが好ましい。
ラミネートは、包装容器を通じて酸素及び／又は光の透過を防止するための、アルミニウムなどのさらなるバリア層と、互いに分離層を取り付けるために使用された層と、を含む場合がある。包装容器を形成する目的で使用される多くの他の種類のラミネートが存在する。これは、当業者にとって周知であり、特許請求の範囲によって規定された本願発明は、この単なる例に限定されるべきではない。
【００３９】
本願発明において様々な形態における実施形態が可能であるが、本願開示が発明の例示を考慮されており、且つ本願発明を図示された特定の実施形態に限定する意図がないことを理解するとともに、現在の好ましい実施形態が図面に示されており、本願明細書におけるこの後に記載されている。一般的に、湾曲折り目線における小さな変更を行うこと、例えば折り目ではない小さなセグメントを残すことは、適切な先行技術がこの拡大した解釈を妨げない限り、前述の説明によれば本願発明の一部を形成するものとして考慮されるべきである。さらに、下部の凸状セグメントは、交互の方式で配置された、同一の湾曲の追加の凸状セグメント及び凹状セグメントを含んでもよい。
【００４０】
この明細書で参照された全ての特許文献は、この開示の文章内にそのように具体的に行われるかどうかを問わず、参照により本願明細書に組み込まれる。本願開示において、「１つ（ａ）」との用語又は「１つ（ａｎ）」との用語は、単数及び複数の両方を含むように解釈されるべきである。逆に、複数の項目に対する参照は、適切である場合、単数を含む。本願明細書で使用された「水滴形状」が、半円状又は半楕円上の下部分と、湾曲した、先細の上部分と、を有する二次元形状として規定されている場合、本定義は、様式化された水滴の従来の定義内に留まる。
【００４１】
前述の説明から、多数の変更及び多様性が本願発明の新規なコンセプトの真実の精神及び技術的範囲から逸脱することなく実施されることができることは明らかであり、図示された特定の実施形態に対する限定が意図されない、又は推測されないべきであることは理解されるべきである。この開示は、添付した特許請求の範囲によって全てのそのような変更をカバーするように意図されており、そのような変更が特許請求の範囲の技術的範囲内にあるように意図されている。
【符号の説明】
【００４２】
１００  包装容器
１０２  前方壁
１０４  第１の側壁
１０５  第２の側壁
１０６  後方壁
１０８  前方のゲーブルパネル
１１０  密封上部フィン
１１２  横断方向折り目線
１１４  第１の側部ゲーブルパネル
１１６、１３０  湾曲折り目線
２００  ブランク
２０２  第１のパネル
２０４  第２のパネル
２０６  第３のパネル
２０８  第４のパネル
２１０  第５のパネル
２１２、２１４、２１６、２１８  長手方向折り目線
【図１】
2015510856.tif 000003
【図２】
2015510856.tif 000004
【図３】
2015510856.tif 000005
【図４】
2015510856.tif 000006
【図５】
2015510856.tif 000007
【図６】
2015510856.tif 000008
【図７】
2015510856.tif 000009
【図８】
2015510856.tif 000010
【図９】
2015510856.tif 000011
【図１０】
2015510856.tif 000012
【図１１】
2015510856.tif 000013
【図１２】
2015510856.tif 000014
【国際調査報告】
2015510856.tif 000015
2015510856.tif 000016
2015510856.tif 000017